(57)【要約】【課題】  本発明は、カーテンをスムーズに開閉できるという利点を有しつつも、風の吹く日に窓を開放した場合等において、風の作用によって、勝手にカーテンが開閉してしまうという問題を解決することができる固定可能カーテンランナーを提供することを目的とする。【解決手段】  本発明に係る固定可能カーテンランナー１は、本体２と、本体２の上部においてカーテンレール内を転動するローラー４，４と、本体２においてカーテンを吊り下げるフックを掛けるための開口部６，６とを備えたカーテンランナーであって、本体２の上側面において、永久磁石３ａ〜３ｃが取り付けられていることを特徴としている。【選択図】図１
2020044125.tif 000002
【特許請求の範囲】
【請求項１】
本体と、当該本体の上部においてカーテンレール内を転動するローラーと、前記本体においてカーテンを吊り下げるフックを掛けるための開口部とを備えたカーテンランナーであって、
前記本体の上側面において、永久磁石が取り付けられていることを特徴とする固定可能カーテンランナー。
【請求項２】
カーテンが吊り下げられたフックを前記本体に取り付けた状態においても、前記永久磁石がカーテンレール内の上側面に磁着することによって、前記本体がカーテンレール内において固定されるようになっていることを特徴とする、請求項１に記載の固定可能カーテンランナー。
【請求項３】
前記永久磁石の上側の面が、前記ローラーの最も上の位置よりも上に位置するように配置されていることを特徴とする、請求項１又は請求項２に記載の固定可能カーテンランナー。
【発明の詳細な説明】
【技術分野】
【０００１】
本発明はカーテンをスムーズに開閉するためのカーテンランナーに関するものである。
【背景技術】
【０００２】
従来より、カーテンに関する製品として、カーテンをスムーズに開閉するため、カーテンを保持しながらカーテンレール内を移動するカーテンランナーが、種々製造され、市場にて流通している。
【０００３】
このような従来のカーテンランナーについては、カーテンをスムーズに開閉させるという機能を最適化するため、カーテンランナー本体において、カーテンレール内を転動するローラーを備えたものが知られている。このようなローラーを備えたカーテンランナーを利用することによって、小さな力によって、非常にスムーズにカーテンを開閉できるという利点を享受することができる。
【０００４】
しかしながら、以上のようなローラーを備えたカーテンランナーについては、カーテンをスムーズに開閉できるという利点が有る反面、風の吹く日に窓を開放した場合等において、風の作用によって、勝手にカーテンが開閉してしまうという問題も生じさせてしまうことがあった。
【０００５】
本願発明者は、以上のような問題を解決するため鋭意検討を重ねてきた。その結果、カーテンランナー本体において、永久磁石を好適に配置することによって、以上のような問題を解決できるという知見を得、これに基づき、本発明を創作するに至った。
【０００６】
なお、本発明を出願するにあたって、本願発明者において過去の特許文献等を調査したところ、本発明の属する技術分野において、下記の文献を発見することができたが、本発明に係る技術的思想等を詳述した特許文献等については発見することができなかった。
【先行技術文献】
【特許文献】
【０００７】
【特許文献１】実用新案登録 第３０７０５８０号公報
【発明の概要】
【発明が解決しようとする課題】
【０００８】
本発明は、カーテンをスムーズに開閉できるという利点を有しつつも、風の吹く日に窓を開放した場合等において、風の作用によって、勝手にカーテンが開閉してしまうという問題を解決することができる、固定可能カーテンランナーを提供することを目的とする。
【課題を解決するための手段】
【０００９】
そのための手段として、本発明に係る固定可能カーテンランナーは、本体と、当該本体の上部においてカーテンレール内を転動するローラーと、前記本体においてカーテンを吊り下げるフックを掛けるための開口部とを備えたカーテンランナーであって、前記本体の上側面において、永久磁石が取り付けられていることを特徴としている。
【００１０】
また、本発明に係る固定可能カーテンランナーは、カーテンが吊り下げられたフックを前記本体に取り付けた状態においても、前記永久磁石がカーテンレール内の上側面に磁着することによって、前記本体がカーテンレール内において固定されるようになっていることも特徴としている。
【００１１】
さらに、本発明に係る固定可能カーテンランナーは、前記永久磁石の上側の面が、前記ローラーの最も上の位置よりも上に位置するように配置されていることも特徴としている。
【発明の効果】
【００１２】
本発明によれば、カーテンをスムーズに開閉できるという利点を有しつつも、風の吹く日に窓を開放した場合等において、風の作用によって、勝手にカーテンが開閉してしまうという問題を解決することができる固定可能カーテンランナーを提供することができる。
【図面の簡単な説明】
【００１３】
【図１】本実施形態に係る固定可能カーテンランナー１の斜視図
【図２】本実施形態に係る固定可能カーテンランナー１の側面図
【図３】本実施形態に係る固定可能カーテンランナー１の平面図
【図４】本実施形態に係る固定可能カーテンランナー１の使用態様を示す図
【発明を実施するための形態】
【００１４】
以下、本発明に係る固定可能カーテンランナーを実施するための形態について説明する。本実施形態に係る固定可能カーテンランナー１は、図１〜図３に示したように、基本的に、本体２と、永久磁石３ａ〜３ｃと、本体２の上部においてカーテンレール内を転動する二つのローラー４，４と、本体２においてカーテンを吊り下げるフックを掛けるための二つの開口部６，６とを備えている。なお、これらの図において、５も永久磁石であって、これにより、隣り合う別の固定可能カーテンランナー１と磁着できるようになっている。また、７は、ローラー４，４の軸を示している。
【００１５】
永久磁石３ａ〜３ｃは、図示されているように、それぞれ別個のものであって、本体２の上側に取り付けられている。磁石３ａは、その上側の面が、ローラー４，４の最も上の位置よりも上に位置するように配置されており、接着剤等を利用して、本体２の上側面に固定されている。磁石３ｂ及び３ｃは、磁石３ａの下側において磁石３ａに磁着しており、磁石３ａから任意に着脱できるようになっている。
【００１６】
そして、以上のような構成をした固定可能カーテンランナー１は、図４に示したように使用される。図４は、固定可能カーテンランナー１の使用態様を示した図であって、カーテンの移動方向が、図面の鉛直方向と平行になるよう記載されている。本図において、８はカーテンレールを、９はカーテンを、１０はカーテンを吊り下げるためのフックを、それぞれ示している。なお、カーテンレール８は、鉄等の磁着性の材料によって構成されている。
【００１７】
カーテンが静止している状態においては、図４(ｂ)で示したように、固定可能カーテンランナー１は、永久磁石３ａ〜３ｃの作用によって、カーテンレール８内の上側面に磁着している。すなわち、本体２がカーテンレール８内において固定されるようになっている。これが通常の状態である。そして、カーテン９を開閉させる際は、カーテン９を下に引っ張ることで、永久磁石３ａがカーテンレール８内の上側面から離れることとなり、カーテン９を自在に開閉させられるようになっている。
【００１８】
ここで、カーテン９を下に引っ張る際、図１等で示したように、本体２には、二つの開口部６，６が有ることから、下方向に均等な力で引かれるため、固定可能カーテンランナー１は、真っ直ぐ下に降り、永久磁石３ａが、好適にカーテンレール８の上側面から離れるようになっている。
【００１９】
なお、以上の実施形態においては、永久磁石３ａの上側の面が、ローラー４，４の最も上の位置よりも上に位置するように配置されているが、これは、このような構成とすることによって、永久磁石３ａが、ローラー４，４の干渉を受けずに、カーテンレール８内の上側面にしっかりと磁着することが可能となる点において好適だからである。
【００２０】
また、以上の実施形態においては、カーテンレール８に磁着する永久磁石として、三つの永久磁石（３ａ〜３ｃ）を利用しているが、当該磁石の数や強さは、フック１０を含むカーテン９の総重量や、カーテンレール８の材質等によって、適宜変更することが重要である。すなわち、これら磁石の数や強さを調節することによって、カーテン９が吊り下げられたフック１０を本体２に取り付けた状態においても、永久磁石３ａがカーテンレール８内の上側面に磁着することによって、本体２がカーテンレール８内において固定されるようになっているようにすることが重要である。
【産業上の利用可能性】
【００２１】
本発明によれば、カーテンをスムーズに開閉できるという利点を有しつつも、風の吹く日に窓を開放した場合等において、風の作用によって、勝手にカーテンが開閉してしまうという問題を解決することができる固定可能カーテンランナーを提供することができる。
【符号の説明】
【００２２】
１：固定可能カーテンランナー、
２：本体、
３ａ〜３ｃ：永久磁石、
４：ローラー、
５：永久磁石、
６：開口部、
７：軸、
８：カーテンレール、
９：カーテン、
１０：フック
【図１】
2020044125.tif 000003
【図２】
2020044125.tif 000004
【図３】
2020044125.tif 000005
【図４】
2020044125.tif 000006